(57)【要約】【課題】複数のデータの関連付けを一段と容易に行うことができるデータアップロードシステム、データアップロード方法及び端末装置を提供すること。【解決手段】第１の端末装置１に記憶されている第１のデータと第２の端末装置３に記憶されている第２のデータとを関連付け、前記関連付けられた第１及び第２のデータをアップロードし、前記アップロードされた第１及び第２のデータを互いに関連付けられた状態で閲覧可能に保持する。【選択図】図１
2009020841.tif 000002
【特許請求の範囲】
【請求項１】
第１のデータを記憶する第１の記憶手段を有する第１の端末装置と、
第２のデータを記憶する第２の記憶手段と、前記第１のデータと前記第２のデータとの関連付けを行う関連付け手段とを有する第２の端末装置と、
関連付けられてアップロードされた前記第１及び第２のデータを関連付けられた状態で閲覧可能に保持するサーバと
を具備することを特徴とするデータアップロードシステム。
【請求項２】
前記関連付け手段は、前記第１のデータ及び前記第２のデータに共通の識別情報を生成し、
前記第２の端末装置は、前記生成された識別情報を前記第２のデータに付加してアップロードする第１のアップロード手段と、前記識別情報を前記第１の端末装置に送信する送信手段とを有し、
前記第１の端末装置は、前記識別情報を受信する受信手段と、前記受信した識別情報を前記第１のデータに付加してアップロードする第２のアップロード手段とを有することを特徴とする請求項１に記載のデータアップロードシステム。
【請求項３】
前記第２の端末装置の前記送信手段と前記第１の端末装置の前記受信手段とは、ネットワークを介した第１の通信及び互いに直接通信を行う第２の通信のうちのいずれかを選択して通信を行い、前記第２の通信によって直接通信が可能な場合には、前記第１の通信に代えて前記第２の通信により前記識別情報を送受信することを特徴とする請求項２に記載のデータアップロードシステム。
【請求項４】
前記第１の端末装置は、前記第１のデータを送信する送信手段を具備し、
前記第２の端末装置は、前記第１のデータを受信する受信手段を具備し、
前記関連付け手段は、前記受信した第１のデータと前記第２の記憶手段に記憶されている第２のデータとを関連付け、該関連付けられた第１のデータを前記第２のデータと共にアップロードすることを特徴とする請求項１に記載のデータアップロードシステム。
【請求項５】
前記第１の端末装置の前記送信手段と前記第２の端末装置の前記受信手段とは、ネットワークを介した第１の通信及び互いに直接通信を行う第２の通信のうちのいずれかを選択して通信を行い、前記第２の通信によって直接通信が可能な場合には、前記第１の通信に代えて前記第２の通信により前記第１のデータを送受信することを特徴とする請求項４に記載のデータアップロードシステム。
【請求項６】
第１の端末装置に記憶されている第１のデータと第２の端末装置に記憶されている第２のデータとを関連付けるステップと、
前記関連付けられた第１及び第２のデータをアップロードするステップと、
前記アップロードされた第１及び第２のデータを互いに関連付けられた状態で閲覧可能に保持するステップとを具備することを特徴とするデータアップロード方法。
【請求項７】
前記第１及び第２のデータを関連付けるステップでは、前記第１の端末装置に記憶された前記第１のデータが前記第２の端末装置に送信され、該送信された第１のデータと前記第２の端末装置に記憶されている第２のデータとが前記第２の端末装置で関連付けられ、
前記アップロードするステップでは、前記第２の端末装置において関連付けられた前記第１及び第２のデータが前記第２の端末装置からアップロードされることを特徴とする請求項６に記載のデータアップロード方法。
【請求項８】
前記第１及び第２のデータを関連付けるステップでは、前記第１及び第２の端末装置間でネットワークを介した第１の通信及び互いに直接通信を行う第２の通信のうちのいずれかを選択して通信を行い、前記第２の通信によって直接通信が可能な場合には、前記第１の通信に代えて前記第２の通信により前記第１のデータが前記第１の端末装置から前記第２の端末装置に送信されることを特徴とする請求項７に記載のデータアップロード方法。
【請求項９】
前記第１及び第２のデータを関連付けるステップでは、前記第１の端末装置において生成された識別情報が前記第１の端末装置から前記第２の端末装置へ送信されると共に前記第１の端末装置に記憶された前記第１のデータに付加され、
前記アップロードするステップでは、前記識別情報が付加された前記第１及び第２のデータが前記第１及び第２の端末装置からアップロードされることを特徴とする請求項６に記載のデータアップロード方法。
【請求項１０】
前記第１及び第２のデータを関連付けるステップでは、前記第１及び第２の端末装置間でネットワークを介した第１の通信及び互いに直接通信を行う第２の通信のうちのいずれかを選択して通信を行い、前記第２の通信によって直接通信が可能な場合には、前記第１の通信に代えて前記第２の通信により前記識別データが前記第１の端末装置から前記第２の端末装置に送信されることを特徴とする請求項９に記載のデータアップロード方法。
【請求項１１】
第１のデータを記憶する記憶手段と、
他の端末装置に記憶されている第２のデータと前記記憶手段に記憶されている第１のデータとの関連付けを行う関連付け手段と、
前記関連付けられた第１のデータをアップロードするアップロード手段とを具備することを特徴とする端末装置。
【請求項１２】
前記第２のデータを受信する受信手段を具備し、
前記関連付け手段は、前記受信した第２のデータと前記記憶手段に記憶されている第１のデータとを関連付け、
前記アップロード手段は、前記関連付けられた第２のデータを前記第１のデータと共にアップロードすることを特徴とする請求項１１に記載の端末装置。
【請求項１３】
前記関連付け手段は、前記第１のデータ及び前記第２のデータに共通の識別情報を生成し、該生成された識別情報を前記アップロードする第１のデータに付加すると共に、前記生成された識別情報を、前記他の端末装置に通信手段を介して送信することを特徴とする請求項１１に記載の端末装置。
【請求項１４】
前記受信手段は、ネットワークを介して前記第２のデータを受信する第１の通信手段と、前記他の端末装置との間で直接通信を行う第２の通信手段とを有し、前記第２の通信手段によって前記他の端末装置との間で直接通信を行うことが可能な場合に、前記第１の通信手段に代えて前記第２の通信手段を介して前記第２のデータを受信することを特徴とする請求項１２に記載の端末装置。
【請求項１５】
前記通信手段は、ネットワークを介して前記他の端末装置との間で通信を行う第１の通信手段と、前記他の端末装置との間で直接通信を行う第２の通信手段とを有し、前記第２の通信手段によって前記他の端末装置との間で直接通信を行うことが可能な場合に、前記第１の通信手段に代えて前記第２の通信手段を介して前記識別情報を送信することを特徴とする請求項１３に記載の端末装置。
【発明の詳細な説明】
【技術分野】
【０００１】
本発明はデータアップロードシステム、データアップロード方法及び端末装置に関し、例えば、複数のデータをアップロードして同一のブログやホームページ等に掲載するためのデータアップロードシステム、データアップロード方法及び端末装置に関する。
【背景技術】
【０００２】
従来、端末装置からネットワーク上のサーバ装置に画像データ等の種々のデータをアップロードする方法が開示されている（特許文献１参照）。このアップロード方法においては、デジタルカメラにより撮影された画像を、画像ファイルを保存する目的やプリントサービスを利用する目的で、デジタルカメラやコンピュータに装備された有線あるいは無線の通信手段を介して、ネットワーク上のサーバ装置にアップロードするようになされている。
【特許文献１】特開２００２−２２９９０１号公報
【発明の開示】
【発明が解決しようとする課題】
【０００３】
しかしながら、このようなアップロード方法によって、サーバ装置にデータをアップロードした場合、アップロードされたデータはそれぞれ別々のデータとして管理されるため、例えば複数のデータを関連付けてブログやホームページに掲載する場合には、サーバ上で必要なデータを手動により関連付けるといった煩雑な手間を避け得ない問題があった。
例えば、複数のデバイスに保持された別々のデータを関連付けてブログやホームページに掲載するためには、個々のデータを個別にアップロードし、サーバ側で手動によりこれら複数のデータを関連付ける作業が必要であった。
【０００４】
本発明はかかる点に鑑みてなされたものであり、複数のデータの関連付けを一段と容易に行うことができるデータアップロードシステム、データアップロード方法及び端末装置を提供することを目的とする。
【課題を解決するための手段】
【０００５】
本発明のデータアップロードシステムは、第１のデータを記憶する第１の記憶手段を有する第１の端末装置と、第２のデータを記憶する第２の記憶手段と、前記第１のデータと前記第２のデータとの関連付けを行う関連付け手段とを有する第２の端末装置と、関連付けられてアップロードされた前記第１及び第２のデータを関連付けられた状態で閲覧可能に保持するサーバとを具備することを特徴とする。
【０００６】
この構成によれば、第１及び第２のデータが互いに関連付けられてアップロードされることにより、これらのデータをサーバにおいて手動で選択するといった煩雑な手間を回避することができる。
【０００７】
本発明のデータアップロードシステムにおいては、前記関連付け手段は、前記第１のデータ及び前記第２のデータに共通の識別情報を生成し、前記第２の端末装置は、前記生成された識別情報を前記第２のデータに付加してアップロードする第１のアップロード手段と、前記識別情報を前記第１の端末装置に送信する送信手段とを有し、前記第１の端末装置は、前記識別情報を受信する受信手段と、前記受信した識別情報を前記第１のデータに付加してアップロードする第２のアップロード手段とを有することが好ましい。
【０００８】
本発明のデータアップロードシステムにおいては、前記第２の端末装置の前記送信手段と前記第１の端末装置の前記受信手段とは、ネットワークを介した第１の通信及び互いに直接通信を行う第２の通信のうちのいずれかを選択して通信を行い、前記第２の通信によって直接通信が可能な場合には、前記第１の通信に代えて前記第２の通信により前記識別情報を送受信することが好ましい。
【０００９】
本発明のデータアップロードシステムにおいては、前記第１の端末装置は、前記第１のデータを送信する送信手段を具備し、前記第２の端末装置は、前記第１のデータを受信する受信手段を具備し、前記関連付け手段は、前記受信した第１のデータと前記第２の記憶手段に記憶されている第２のデータとを関連付け、該関連付けられた第１のデータを前記第２のデータと共にアップロードすることが好ましい。
【００１０】
本発明のデータアップロードシステムにおいては、前記第１の端末装置の前記送信手段と前記第２の端末装置の前記受信手段とは、ネットワークを介した第１の通信及び互いに直接通信を行う第２の通信のうちのいずれかを選択して通信を行い、前記第２の通信によって直接通信が可能な場合には、前記第１の通信に代えて前記第２の通信により前記第１のデータを送受信することが好ましい。
【００１１】
本発明のデータアップロード方法は、第１の端末装置に記憶されている第１のデータと第２の端末装置に記憶されている第２のデータとを関連付けるステップと、前記関連付けられた第１及び第２のデータをアップロードするステップと、前記アップロードされた第１及び第２のデータを互いに関連付けられた状態で閲覧可能に保持するステップとを具備することを特徴とする。
【００１２】
この方法によれば、第１及び第２の端末装置から互いに関連付けられた第１及び第２のデータがアップロードされることにより、これらのデータをサーバにおいて手動で選択するといった煩雑な手間を回避することができる。
【００１３】
本発明のデータアップロード方法においては、前記第１及び第２のデータを関連付けるステップでは、前記第１の端末装置に記憶された前記第１のデータが前記第２の端末装置に送信され、該送信された第１のデータと前記第２の端末装置に記憶されている第２のデータとが前記第２の端末装置で関連付けられ、前記アップロードするステップでは、前記第２の端末装置において関連付けられた前記第１及び第２のデータが前記第２の端末装置からアップロードされることが好ましい。
【００１４】
本発明のデータアップロード方法においては、前記第１及び第２のデータを関連付けるステップでは、前記第１及び第２の端末装置間でネットワークを介した第１の通信及び互いに直接通信を行う第２の通信のうちのいずれかを選択して通信を行い、前記第２の通信によって直接通信が可能な場合には、前記第１の通信に代えて前記第２の通信により前記第１のデータが前記第１の端末装置から前記第２の端末装置に送信されることが好ましい。
【００１５】
本発明のデータアップロード方法においては、前記第１及び第２のデータを関連付けるステップでは、前記第１の端末装置において生成された識別情報が前記第１の端末装置から前記第２の端末装置へ送信されると共に前記第１の端末装置に記憶された前記第１のデータに付加され、前記アップロードするステップでは、前記識別情報が付加された前記第１及び第２のデータが前記第１及び第２の端末装置からアップロードされることが好ましい。
【００１６】
本発明のデータアップロード方法においては、前記第１及び第２のデータを関連付けるステップでは、前記第１及び第２の端末装置間でネットワークを介した第１の通信及び互いに直接通信を行う第２の通信のうちのいずれかを選択して通信を行い、前記第２の通信によって直接通信が可能な場合には、前記第１の通信に代えて前記第２の通信により前記識別データが前記第１の端末装置から前記第２の端末装置に送信されることが好ましい。
【００１７】
本発明の端末装置は、第１のデータを記憶する記憶手段と、他の端末装置に記憶されている第２のデータと前記記憶手段に記憶されている第１のデータとの関連付けを行う関連付け手段と、前記関連付けられた第１のデータをアップロードするアップロード手段とを具備することを特徴とする。
【００１８】
この構成によれば、第１及び第２のデータが互いに関連付けられてアップロードされることにより、これらのデータをサーバにおいて手動で選択するといった煩雑な手間を回避することができる。
【００１９】
本発明の端末装置においては、前記第２のデータを受信する受信手段を具備し、前記関連付け手段は、前記受信した第２のデータと前記記憶手段に記憶されている第１のデータとを関連付け、前記アップロード手段は、前記関連付けられた第２のデータを前記第１のデータと共にアップロードすることが好ましい。
【００２０】
本発明の端末装置は、前記関連付け手段は、前記第１のデータ及び前記第２のデータに共通の識別情報を生成し、該生成された識別情報を前記アップロードする第１のデータに付加すると共に、前記生成された識別情報を、前記他の端末装置に通信手段を介して送信することが好ましい。
【００２１】
本発明の端末装置においては、前記受信手段は、ネットワークを介して前記第２のデータを受信する第１の通信手段と、前記他の端末装置との間で直接通信を行う第２の通信手段とを有し、前記第２の通信手段によって前記他の端末装置との間で直接通信を行うことが可能な場合に、前記第１の通信手段に代えて前記第２の通信手段を介して前記第２のデータを受信することが好ましい。
【００２２】
本発明の端末装置においては、前記通信手段は、ネットワークを介して前記他の端末装置との間で通信を行う第１の通信手段と、前記他の端末装置との間で直接通信を行う第２の通信手段とを有し、前記第２の通信手段によって前記他の端末装置との間で直接通信を行うことが可能な場合に、前記第１の通信手段に代えて前記第２の通信手段を介して前記識別情報を送信することが好ましい。
【発明の効果】
【００２３】
本発明によれば、複数のデータの関連付けを一段と容易に行うことができるデータアップロードシステム、データアップロード方法及び端末装置を提供することができる。
【発明を実施するための最良の形態】
【００２４】
以下、本発明の実施の形態について、添付図面を参照して詳細に説明する。
（第１の実施の形態）
図１は、本発明の実施の形態に係るデータアップロードシステムを説明するための概略構成を示す図である。図１に示すシステムは、互いにデータを関連付けてアップロードする携帯端末１及び車載装置３と、携帯端末１及び車載装置３と移動通信網２を介して接続された移動通信センタ５と、インターネット等のネットワーク６を介して接続されたサーバ７とから主に構成されている。携帯端末１及び車載装置３は、移動通信端末である。
【００２５】
携帯端末１は、複数の通信方式のインタフェース、例えば移動通信用のインタフェース、無線ＬＡＮ用のインタフェース及びBluetooth（登録商標）、Zigbee（登録商標）、赤外線通信などの近距離通信用のインタフェースを備えている。なお、無線ＬＡＮ用のインタフェース、近距離通信用のインタフェースについては、いずれかを備えていても良く、その両者を備えていても良い。また、携帯端末１は、オペレーティングシステム（移動機ＯＳ）を有しており、移動機ＯＳ上でブラウザ機能、ビューワ機能、ＪＡＭ（Java（登録商標） Application Manager）その他の機能が動作する。また、携帯端末１は、通常の電話機能及びメール機能を備えている。
【００２６】
車載装置３は、車両に搭載されており、複数の通信方式のインタフェース、例えば移動通信用のインタフェース、無線ＬＡＮ用のインタフェース及びBluetooth（登録商標）、Zigbee（登録商標）、赤外線通信などの端末装置間で直接通信を行うための近距離通信用のインタフェースを備えている。
【００２７】
車両には、車載装置３の他にカーナビゲーション装置が搭載されており、車載装置３とカーナビゲーション装置とが互いに連携することによって、携帯端末１と略同様に移動通信網２を介して通信サービスを受けることが可能に構成されている。
【００２８】
移動通信網２は、携帯端末１と移動通信センタ５との間のネットワークである。この移動通信網２には、通常の移動通信網に加えて移動パケット通信網も含まれる。また、移動通信センタ５は、例えばｉモード（登録商標）サーバなどを有すると共に、移動通信網２とインターネットのような他のネットワーク６とを結ぶゲートウェイ機能を担っており、具体的には、情報配信機能、メール送受信機能、メール蓄積機能、契約顧客管理機能、情報提供者（Information Provider）管理機能、及び情報料課金機能等を有する。
【００２９】
図２は、図１に示すシステムにおける携帯端末の概略構成を示すブロック図である。なお、図２に示す構成は、本発明を説明するために簡略化したものであり、通常の携帯端末に搭載される構成要素は備えているものとする。
【００３０】
携帯端末１は、装置全体を制御する制御部１１と、移動通信網２を介して移動通信センタ５との間で移動通信により通信を行う通信制御部１２と、種々のデータを表示する表示部１３と、種々の操作を行う操作部１４と、カメラ機能により画像を撮像する撮像部１６と、撮像部１６によって撮像された画像のデータ等を記憶する記憶部１５と、車載装置３との間で認証を行う認証部１７と、車載装置３との間で近距離通信を行う近距離通信部１８と、装置に搭載され、あるいはダウンロードされた種々のアプリケーションを起動するアプリ制御部１９とから主に構成されている。
【００３１】
通信制御部１２は、移動通信用インタフェースにより移動通信網２を介して移動通信センタ５と通信を行う。通信制御部１２は、移動通信網２を介した車載装置３との通信が、電波環境の影響等によって困難になった場合には、その旨を制御部１１に通知することにより、この通知を受け取った制御部１１は、通信インタフェースを切り替えて、近距離通信部１８を介した端末間の直接通信を実行するようになされている。
【００３２】
撮像部１６は、操作部１４を介して撮像命令が入力された場合に、携帯端末１の筺体に設けられたレンズ（図示せず）を通して被写体象を取り込み、この被写体像を光電変換素子によって電気信号に変換することにより、画像データを得る。この画像データは、例えばＲＡＭ（Read Only Memory）構成の記憶部１５に記憶される。
【００３３】
認証部１７は、車載装置３との間でセッションを張って認証処理を行う。認証処理については特に制限はなく、例えばＩＤやパスワードによる認証処理が挙げられる。
【００３４】
近距離通信部１８は、Bluetooth（登録商標）、Zigbee（登録商標）、赤外線通信などの近距離通信用のインタフェースであり、車載装置３の近距離通信部との間で近距離通信を行う。
【００３５】
アプリ制御部１９は、装置に搭載され、あるいはダウンロードされたデータアップロード用のアプリケーションを起動させる。データアップロード用のアプリケーションは、携帯端末１や車載装置３等の別々の端末装置に用意された画像データや音楽データ等の複数のデータを互いに関連付けてアップロードすることにより、これらを１つのブログやホームページに掲載するアプリケーションである。
【００３６】
図３は、図１に示すシステムにおける車載装置の概略構成を示すブロック図である。なお、図３に示す構成は、本発明を説明するために簡略化したものであり、通常の車載装置に搭載される構成要素は備えているものとする。
【００３７】
車載装置３は、装置全体を制御する制御部３１と、移動通信網２を介して移動通信センタ５との間で移動通信により通信を行う通信制御部３２と、種々のデータを表示する表示部３３と、種々の操作を行う操作部３４と、ネットワーク６から移動通信網２を介してダウンロードした音楽データ等のコンテンツデータを記憶する例えばＲＡＭ構成の記憶部３５と、携帯端末１との間で認証を行う認証部３６と、携帯端末１との間で近距離通信を行う近距離通信部３８と、装置に搭載され、あるいはダウンロードされた種々のアプリケーションを起動するアプリ制御部３９とから主に構成されている。
【００３８】
通信制御部３２は、移動通信用インタフェースにより移動通信網２を介して移動通信センタ５と通信を行う。通信制御部３２は、移動通信網２を介した携帯端末１との通信が、電波環境の影響等によって困難になった場合には、その旨を制御部３１に通知することにより、この通知を受け取った制御部３１は、通信インタフェースを切り替えて、近距離通信部３８を介した端末間の直接通信を実行するようになされている。
【００３９】
認証部３６は、携帯端末１との間でセッションを張って認証処理を行う。認証処理については特に制限はなく、例えばＩＤやパスワードによる認証処理が挙げられる。
【００４０】
近距離通信部３８は、Bluetooth（登録商標）、Zigbee（登録商標）、赤外線通信などの近距離通信用のインタフェースであり、携帯端末１の近距離通信部との間で近距離通信を行う。また、近距離通信部３８は、定期的に携帯端末１から送信された監視信号を受信したときに、携帯端末１に対して確認信号を送信する。
【００４１】
アプリ制御部３９は、装置に搭載され、あるいはダウンロードされたデータアップロード用のアプリケーションを起動させる。データアップロード用のアプリケーションは、アプリ制御部１９について上述したものと同様に、携帯端末１や車載装置３等の別々の端末装置に用意された画像データや音楽データ等の複数のデータを互いに関連付けてアップロードすることにより、これらを１つのブログやホームページに掲載するアプリケーションである。
【００４２】
図４は、図１に示すシステムにおける移動通信センタの概略構成を示すブロック図である。移動通信センタ５は、装置全体を制御する制御部５１と、移動通信網２を介して携帯端末１及び車載装置３との間で移動通信により通信を行う通信制御部５２と、通信サービスの提供先を管理する管理データベース（ＤＢ）５４と、管理データベース５４の情報を更新する情報更新部５３とから主に構成されている。
【００４３】
通信制御部５２は、移動通信用インタフェースにより移動通信網２を介して携帯端末１と通信を行う。
【００４４】
管理ＤＢ５４は、例えば図５に示すようなテーブルを有している。図５に示すテーブルは、ユーザ毎に通信サービスの提供先を管理したものである。なお、テーブルで管理する項目は図５に示す項目に限定されず、適宜変更することができる。
【００４５】
図６は、図１に示すサーバ７の概略構成を示すブロック図である。サーバ７は、装置全体を制御する制御部７１と、インターネット等のネットワーク６を介して移動通信センタ５と通信を行うことにより、移動通信網２に接続される携帯端末１及び車載装置３と通信を行う通信制御部７２と、ブログ又はホームページに掲載するＨＴＭＬファイルや画像ファイル、音声ファイル等を保存、管理するデータベース（ＤＢ）７４と、データベース７４の情報を更新する情報更新部７３とから主に構成されている。
【００４６】
通信制御部７２は、ネットワークインタフェースによりネットワーク６を介して移動通信センタ５と通信を行う。
【００４７】
データベース７４は、クライアントコンピュータからＦＴＰ(File Transfer Protocol)等でアップロードされたＨＴＭＬファイル、画像ファイル（例えばＪＰＥＧファイル）、音声ファイル（例えばＭＰ３ファイル）等のファイルを保存する。これらのファイルは、携帯電話機等の携帯端末やクライアントコンピュータからウエブブラウザによって閲覧することができる。ＨＴＭＬファイルは、ブログやホームページを構成し、ＨＴＭＬファイルに記述されたタグによって画像ファイルや音声ファイル等、種々のファイルを指定するようになされている。
【００４８】
アプリ制御部７６は、装置に搭載され、あるいはダウンロードされたデータアップロード用のアプリケーションを起動させる。データアップロード用のアプリケーションは、携帯端末１や車載装置３等の別々の端末装置に用意された画像データや音楽データ等の複数のデータを互いに関連付けてアップロードすることにより、これらを１つのブログやホームページに掲載するためのアプリケーションである。
【００４９】
図７は、携帯端末１及び車載装置３においてそれぞれ保持されているデータをサーバ７にアップロードして、同一のブログやホームページに掲載する処理手順を示すシーケンス図である。なお、本実施の形態においては、携帯端末１に保持されているデータとして、この携帯端末１において撮像された画像データをアップロードし、車載装置３に保持されているデータとして、音楽データをアップロードする場合について説明するが、データの内容はこれらに限らず、種々の内容や組み合わせを適用することができる。
【００５０】
図７に示すように、携帯端末１の操作部１４が操作されてデータアップロード用のアプリケーションが起動されると、制御部１１は、アプリ制御部１９によって起動されたアプリケーションを実行し、まず、ステップＳＴ１において、送信データの選択を行う。このステップにおいて、制御部１１は、記憶部１５に記憶されている画像データのインデックス等を、携帯端末１の表示部１３に一覧表示する。そして、この表示された一覧のなかから、操作部１４の操作によって１つの画像データが選択されると、制御部１１は、ステップＳＴ２に移って、選択された画像データを移動通信センタ５（移動通信網２（図１））を介して、車載装置３に送信する。なお、データの送信先（車載装置３）は、その都度操作部１４の操作によって選択されるようにしてもよく、また、予め設定される構成としてもよい。
【００５１】
選択された画像データが車載装置３に送信されると、車載装置３の制御部３１は、その画像データを記憶部３５に記憶する。そして、制御部３１は、ステップＳＴ３において、端末装置１から受け取った画像データと関連付ける音楽データを選択する。この選択処理において、制御部３１は、記憶部３５に記憶されている音楽データの一覧を表示部３３に表示し、操作部３４の操作によって特定された１つの音楽データを選択する。なお、画像データに関連付けられる音楽データの選択方法として、その都度一覧表示を行う方法に代えて、例えば、再生中の音楽データを操作部３４の操作によって選択決定する方法を用いてもよい。このようにすれば、一覧表示から選択するといって煩雑な操作を行うことなく、車載装置３において再生されている音楽を簡単に選択することができる。
【００５２】
音楽データの選択が行われると、制御部３１は、ステップＳＴ４に移って、携帯端末１から受け取った画像データと、選択された音楽データとを関連付ける。この関連付けの処理において、制御部３１は、例えばブログやホームページ上で、写真（画像データ）をクリックすると音楽（音楽データ）が流れるような音楽付き写真データを生成する。この音楽付き写真データの生成方法としては、例えば、ブログやホームページを構成するＨＴＭＬファイルの記述内容において、画像を指定するためのタグと音楽を指定するためのタグとを関連付ける方法等を用いることができる。また、制御部３１は、音楽付き写真データの代わりに、画像データと音楽データとを関連付けて動画データ（静止画を表示させた状態で音楽が流れるデータ）を生成するようにしても良い。
【００５３】
画像データと音楽データの関連付けが完了すると、車載装置３の制御部３１は、ステップＳＴ５に移って、関連付けられた画像データ及び音楽データ（音楽付き写真データ）を、サーバ７にアップロードする。
【００５４】
サーバ７は、車載装置３からこの関連付けが行われたデータを受信すると、このデータをデータベース７４に格納し、この音楽付き写真が掲載されるブログやホームページを更新する（ステップＳＴ６）。
【００５５】
以上説明した方法により、携帯端末１に記憶されている画像データと、車載装置３に記憶されている音楽データとが関連付けられてサーバ７にアップロードされることにより、サーバ７では、アップロードされた音楽付き写真のデータ（関連付けられた画像データ及び音楽データ）を手動で選択するといった煩雑な手間を回避することができる。
【００５６】
図２及び図３との対応部分に同一符号を付して示す図８は、以上説明した第１の実施の形態に係るデータアップロードシステムの機能構成を示すブロック図である。図８に示す携帯端末１において、送受信部１０１は、制御部１１（図２）、通信制御部１２（図２）による機能ブロックであり、この送受信部１０１から送信された画像データは、ネットワーク（移動通信網２、移動通信センタ５、インターネット６）を介して車載装置３において受信される。車載装置３の送受信部２０１は、制御部３１（図２）、通信制御部３２（図２）による機能ブロックであり、ネットワークを介して受信した画像データを、関連付け部２０２に送出する。関連付け部２０２は、図３に示した制御部３１及び記憶部３５による機能ブロックであり、送受信部２０１から受け取った画像データと、予め記憶されている音声データとを関連付けてデータアップロード部２０３に送出する。データアップロード部２０３は、図３に示した制御部３１及びによる機能ブロックであり、関連付け部２０２において関連付けられた画像データ及び音楽データをネットワークを介してサーバ７に送信する。
【００５７】
以上説明した第１の実施の形態においては、例えば、携帯端末１を所持したユーザが、車載装置３が搭載された車に乗車している際に、車載装置３から流れている音楽と周囲の景色とのイメージが一致していると感じた場合に、携帯端末１で景色を撮像し、その画像データを車載装置３に送信することにより、その画像データと流れていた音楽のデータとを関連付けることができる。
【００５８】
関連付けられた画像データ及び音楽データは、関連付けられた状態でサーバ７に送信され、ブログやホームページに掲載される。このように画像データ及び音楽データが関連付けられてサーバ７に送信されることにより、サーバ７では、これらを関連付ける必要がなくなる。
【００５９】
従って以上説明したデータアップロードシステムによれば、サーバ７において画像データや音楽データといった複数のデータを手動で関連付けてブログやホームページに掲載するといった煩雑な手間を回避することができる。
【００６０】
なお、上述の第１の実施の形態においては、携帯端末１から車載装置３に画像データが送信された場合に、車載装置３においてこの画像データに関連付ける音楽データを選択する場合について述べたが、本発明はこれに限られるものではなく、例えば、車載装置３から携帯端末１に対して画像データの要求信号を送信し、この要求信号を受信した携帯端末１から車載装置３に対して、画像データを送信するようにしてもよい。
【００６１】
また、上述の第１の実施の形態においては、携帯端末１から車載装置３に画像データを送信し、車載装置３においてその画像データと音楽データとを関連付けてアップロードする場合について述べたが、本発明はこれに限られるものではなく、車載装置３から音楽データを携帯端末１に送信し、携帯端末１においてその音楽データに画像データを関連付けてアップロードするようにしてもよい。この場合、図８に示すように、携帯端末１において、車載装置３から受け取った音楽データに対して、関連付け部１０２によって画像データを関連付け、これら関連付けられたデータをデータアップロード部１０３からアップロードするようにすればよい。因みに、関連付け部１０３は、図２に示した制御部１１及び記憶部１５によって構成される機能ブロックであり、データアップロード部１０３は、図２に示した制御部１１及び通信制御部１２によって構成される機能ブロックである。
【００６２】
また、上述の第１の実施の形態においては、ユーザが携帯端末１及び車載装置３を個別に操作する場合について述べたが、本発明はこれに限れられるものではなく、携帯端末１及び車載装置３のいずれか一方を操作することで、他方を遠隔操作するようにすれば、携帯端末１及び車載装置３が離れた場所にある場合であっても、携帯端末１のデータと車載装置３のデータとを関連付けてアップロードさせることができる。この場合、例えば携帯端末１の操作部の操作結果を、移動通信網２を介して車載装置３に送信し、この送信された情報を元に車載装置３を制御する。車載装置３での結果は、移動通信網２を介して携帯端末１に送信される。これにより、携帯端末１の表示部を見ながら、車載装置３を操作して、携帯端末１の画像データ及び車載装置３の音楽データを関連付けてアップロードさせることができる。
【００６３】
また、上述の第１の実施の形態においては、画像データ及び音楽データを関連付けてアップロードする場合について述べたが、本発明はこれに限れられるものではなく、例えば画像データと画像データとを関連付けて（合成して）動画を構成する等、種々の組み合わせでデータを関連付けることができる。また、上述のように、関連付けるデータは２つ（画像データ及び音楽データ）には限らず、３つ以上の複数のデータを関連付けることもできる。
【００６４】
（第２の実施の形態）
本発明の第２の実施の形態に係るデータアップロードシステムは、第１の実施の形態に係るデータアップロードシステムに比べて、データの関連付けの方法が異なる。すなわち、図８との対応部分に同一符号を付して示す図９は、第２の実施の形態に係るデータアップロードシステムの機能ブロックを示し、携帯端末１の共通ＩＤ算出部１０４は、図２に示した制御部１１によって構成され、携帯端末１からアップロードする画像データと、車載装置３からアップロードする音楽データとに共通の識別情報を算出する。この共通ＩＤ算出部１０４は、図２に示した制御部１１によって構成される。
【００６５】
共通ＩＤ算出部１０４は、例えば、ユーザが操作部１４（図２）を操作することによりデータアップロードの指示が入力された日時を表す情報を識別情報として算出する。例えば、ユーザからの要求が2007年5月10日15時33分であった場合には、共通ＩＤ算出部１０４は、「200705101533」を共通の識別情報として算出する。そして、送受信部１０１は、算出された識別情報を、ネットワーク（移動通信網２）を介して車載装置３に送信する。
【００６６】
識別情報を受信した車載装置３の送受信部２０１は、その識別情報を、共通ＩＤ割り当て部２０５に送出する。共通ＩＤ割り当て部２０５は、図３に示した制御部３１によって構成され、送受信部２０１から受け取った識別情報を、車載装置３に記憶されている音楽データに付加する。この音楽データは、例えば、表示部３４（図３）における一覧表示によりユーザに提示され、ユーザの選択により決定されたり、または、車載装置３の再生部（図示せず）から音楽が再生されている状態において、操作部３４が操作されることにより、その音楽データが選択指定される。
【００６７】
このようにして共通ＩＤ割り当て部２０５において識別情報が割り当てられた音楽データは、データアップロード部２０３からネットワーク（移動通信網２、移動通信センタ５、インターネット６）を介してサーバ７に送信される。
【００６８】
一方、携帯端末１は、その共通ＩＤ算出部１０４において算出された識別情報を、送受信部１０１から車載装置３に送信することに加えて、この識別情報を共通ＩＤ割り当て部１０５に送出する。共通ＩＤ割り当て部１０５は、図２に示した制御部１１によって構成され、送受信部１０４から受け取った識別情報を、携帯端末１において記憶されている画像データに付加する。この画像データは、例えば、表示部１４（図２）における一覧表示によりユーザに提示され、ユーザの選択により決定される。
【００６９】
このようにして共通ＩＤ割り当て部１０５において識別情報が割り当てられた画像データは、データアップロード部１０３からネットワーク（移動通信網２、移動通信センタ５、インターネット６）を介してサーバ７に送信される。
【００７０】
サーバ７では、携帯端末１からアップロードされた画像データと、車載装置３からアップロードされた音楽データとを、それらに付加されている共通の識別情報に基づいて選択して合成する。合成とは、例えば、ブログやホームページを構成するＨＴＭＬファイルにおいて、画像データと音楽データとを関連付けることにより、画像をクリックすると大きな写真が別ブラウザで表示され音楽が流れるようにすることである。なお、サーバ７において、アップロードデータ合成部３０１は、図６に示した制御部７１によって構成される。
【００７１】
図１０は、携帯端末１及び車載装置３においてそれぞれ保持されているデータを別々にサーバ７にアップロードして、同一のブログやホームページに掲載する処理手順を示すシーケンス図である。なお、本実施の形態においては、携帯端末１に保持されているデータとして、この携帯端末１において撮像された画像データをアップロードし、車載装置３に保持されているデータとして、音楽データをアップロードする場合について説明するが、データの内容はこれらに限らず、種々の内容や組み合わせを適用することができる。
【００７２】
図１０に示すように、携帯端末１の操作部１４が操作されてデータアップロード用のアプリケーションが起動されると、携帯端末１では、データアップロード用のアプリケーションが実行され、まず、ステップＳＴ１１において、送信データの選択が行われる。このステップにおいて、携帯端末１では、その記憶部に記憶されている画像データのインデックス等が表示部に一覧表示される。そして、この表示された一覧のなかから、操作部の操作によって１つの画像データが選択されると、ステップＳＴ１２において、共通ＩＤ算出部１０４によりアップロード用の共通の識別情報が算出される。
【００７３】
そして、ステップＳＴ１３において、送受信部１０１により、共通の識別情報がネットワーク（移動通信網２、移動通信センタ５）を介して車載装置３に送信される。共通の識別情報を受信した車載装置３においては、ステップＳＴ１４において、その記憶部に記憶されている音楽データのなかから、携帯端末１の画像データに関連付ける音楽データがユーザの選択操作によって指定される。音楽データが指定されると、ステップＳＴ１５において、共通ＩＤ割り当て部２０５により、携帯端末１から受け取った共通の識別情報が、ステップＳＴ１４において選択された音楽データに付加される。
【００７４】
一方、携帯端末１においては、共通ＩＤ算出部１０４で算出された識別情報が、アップロード用に選択された画像データに付加される（ステップＳＴ１６）。これにより、携帯端末１においてアップロード用の画像データに識別情報が付加されると共に、同じ識別情報が車載装置３においてアップロード用の音楽データに付加される。すなわち、携帯端末１及び車載装置３においてアップロードしようとするデータ（画像データ及び音楽データ）にそれぞれ同じ識別情報が付加される。これにより、画像データ及び音楽データがそれぞれ別々の端末装置（携帯端末１及び車載装置３）に保持されている状態において、これらが関連付けられることになる。
【００７５】
共通の識別情報が付加された画像データは、携帯端末１からサーバ７にアップロードされ（ステップＳＴ１７）、共通の識別情報が付加された音楽データは、車載装置３からサーバ７にアップロードされる（ステップＳＴ１８）。
【００７６】
共通の識別情報が付加された画像データ及び音楽データをそれぞれ異なる端末装置（携帯端末１及び車載装置３）から受信したサーバ７は、これらに付加された共通の識別情報に基づいて、これらの画像データ及び音楽データが関連付けられたものであると判断し、これらを合成する（ステップＳＴ１９）。かくして、サーバ７において、異なる端末装置（携帯端末１及び車載装置３）からアップロードされたデータを手動で選択するといった煩雑な手間を回避することができる。
【００７７】
以上説明したように、第２の実施の形態に係るデータアップロードシステムにおいては、携帯端末１に記憶されている画像データと、車載装置３において記憶されている音楽データとに共通の識別情報を付加して、画像データは携帯端末１からサーバ７にアップロードし、音楽データは車載装置３からサーバ７にアップロードすることにより、画像データ及び音楽データを別々にアップロードしても、それらに共通の識別情報が付加されることによって互いに関連付けられた状態でアップロードされることになる。これにより、サーバ７においては、合成するデータ（画像データ及び音楽データ）を手動で選択するといった煩雑な手間を回避することができる。
【００７８】
なお、上述の第２の実施の形態においては、携帯端末１の共通ＩＤ算出部１０４において識別情報を算出し、その識別情報を車載装置３に送信し、車載装置３においてその識別情報を音楽データに付加する場合について述べたが、本発明はこれに限られるものではなく、車載装置３においても共通ＩＤ算出部２０４（図９）を設け、この共通ＩＤ算出部２０４において算出された識別情報を車載装置３の音楽データに付加すると共に、その識別情報を携帯端末１に送信して、携帯端末１の画像データに付加するようにしてもよい。この場合においても、共通の識別情報が付加された音楽データは、車載装置３からサーバ７にアップロードされ、共通の識別情報が付加された画像データは、携帯端末１からサーバ７にアップロードされる。
【００７９】
また、上述の第２の実施の形態においては、ユーザが携帯端末１及び車載装置３を個別に操作する場合について述べたが、本発明はこれに限れられるものではなく、携帯端末１及び車載装置３のいずれか一方を操作することで、他方を遠隔操作するようにすれば、携帯端末１及び車載装置３が離れた場所にある場合であっても、携帯端末１のデータと車載装置３のデータとにそれぞれ共通の識別情報を付加してアップロードさせることができる。この場合、例えば携帯端末１の操作部の操作結果を、移動通信網２を介して車載装置３に送信し、この送信された情報を元に車載装置３を制御する。車載装置３での結果は、移動通信網２を介して携帯端末１に送信される。これにより、携帯端末１の表示部を見ながら、車載装置３を操作して、共通の識別情報を携帯端末１の画像データ及び車載装置３の音楽データに個別に付加してアップロードさせることができる。
【００８０】
また、上述の第２の実施の携帯においては、画像データ及び音楽データを関連付けてアップロードする場合について述べたが、本発明はこれに限れられるものではなく、例えば画像データと画像データとを関連付けて（合成して）動画を構成する等、種々の組み合わせでデータを関連付けることができる。また、上述のように、関連付けるデータは２つ（画像データ及び音楽データ）には限らず、３つ以上の複数のデータを関連付けることもできる。
【００８１】
（第３の実施の形態）
本発明の第３の実施の形態に係るデータアップロードシステムは、第１の実施の形態に係るデータアップロードシステムに比べて、携帯端末１と車載装置３との間で、それぞれの近距離通信部１８、３８を用いて、互いが近距離通信可能な近傍エリアに存在するか否かを監視し、近傍エリアに存在する場合には、携帯端末１から車載装置３へアップロード用の画像データを送信する通信経路として、移動通信網２を介さずに、近距離通信を用いる点が異なる。
【００８２】
すなわち、図８との対応部分に同一符号を付して示す図１１は、第３の実施の形態に係るデータアップロードシステムの機能ブロックを示し、携帯端末１の端末監視部１０６は、図２に示した近距離通信部１８及び制御部１１によって構成され、車載装置３の端末監視部２０６は、図３に示した近距離通信部３８及び制御部３１によって構成される。
【００８３】
携帯端末１の端末監視部１０６は、近距離通信部１８を介して近傍探索信号を送信する。車載装置３が近距離通信可能な近傍エリアに存在する場合には、車載装置３の端末監視部２０６（近距離通信部３８）がその近傍探索信号を受信することにより、近傍応答信号を送信する。携帯端末１の端末監視部１０６は、車載装置３からの近傍応答信号を受信することにより、近距離通信が可能な近傍エリアに車載装置３が存在すると判断し、この場合には、アップロード用の画像データを、移動通信網２を介さずに、近距離通信により直接車載装置３に送信する。なお、図１１において、携帯端末１の送受信部１０１は、移動通信網２を介した通信を行う通信制御部１２（図２）及び端末装置間で近距離通信を直接行う近距離通信部１８（図２）によって構成され、これらは制御部１１によって選択される。また、車載装置３の送受信部２０１は、移動通信網２を介した通信を行う通信制御部３２（図３）及び端末装置間で近距離通信を直接行う近距離通信部３８（図３）によって構成され、これらは、制御部３１によって選択される。
【００８４】
図１２は、端末監視部１０６により近傍エリアを監視し、車載装置３が近傍エリアに存在する場合には、近距離通信を介して、アップロード用の画像データを車載装置３に送信し、車載装置３においてその画像データと車載装置３に記憶されている音楽データとを関連付けてアップロードする処理手順を示すシーケンス図である。なお、図１２において図７と同一の処理部分には同一符号を付して、重複した説明は省略する。
【００８５】
図１２において、送信データが選択されると（ステップＳＴ１１）、携帯端末１の端末監視部１０６は、ステップＳＴ３０１に移って、近傍探索信号を近距離通信部１８（図２）を介して送信する。携帯端末１の近傍エリアに車載装置３が存在する場合には、車載装置３の近距離通信部３８（図３）によって近距離探索信号が受信される。
【００８６】
近距離探索信号が車載装置３において受信されると、車載装置３の端末管監視部２０６は、近傍応答信号を携帯端末１に返信する（ステップＳＴ３０２）。近距離応答信号を受信した携帯端末１の端末監視部１０６は、近距離通信が可能な近傍エリアに車載装置３が存在すると判断し、移動通信網２を介した通信に代えて、近距離通信部１８（図２）を介した近距離通信を選択する（ステップＳＴ３０３）。そして、ステップＳＴ２に移って、画像データを近距離通信部１８から送信する。
【００８７】
車載装置３では、携帯端末１から近距離通信により送信された画像データを近距離通信部３８（図３）で受信し、音楽データの選択（ステップＳＴ３）、携帯端末１から近距離通信により受信した画像データと、ステップＳＴ３で選択された音楽データとの関連付け（ステップＳＴ４）、これら関連付けられた画像データ及び音楽データのアップロード（ステップＳＴ５）を行う。
【００８８】
このように本実施の形態のデータアップロードシステムにおいては、近距離通信が可能な場合には、移動通信網２を介した通信に代えて、近距離通信により画像データを携帯端末１から車載装置３へ送信することにより、例えば、車載装置３を搭載した車がトンネル等、移動通信網２を介した通信が困難な環境にある場合であっても、アップロードしようとする画像データを確実に車載装置３へ送信することができる。
【００８９】
なお、上述の第３の実施の形態においては、携帯端末１から車載装置３に画像データが送信された場合に、車載装置３においてこの画像データに関連付ける音楽データを選択する場合について述べたが、本発明はこれに限られるものではなく、例えば、車載装置３から携帯端末１に対して画像データの要求信号を送信し、この要求信号を受信した携帯端末１から車載装置３に対して、画像データを送信するようにしてもよい。この場合であっても、端末監視部１０６、２０６によって近距離通信が可能な近傍エリアに相手方の端末装置が存在するか否かを監視し、近傍エリアに存在する場合には、近距離通信によって車載装置２から携帯端末１に対して画像データの要求信号を送信し、この要求信号に応答して携帯端末１から車載装置３に画像データを近距離通信により送信するようにすればよい。
【００９０】
また、上述の第３の実施の形態においては、携帯端末１から車載装置３に画像データを送信し、車載装置３においてその画像データと音楽データとを関連付けてアップロードする場合について述べたが、本発明はこれに限られるものではなく、車載装置３から音楽データを携帯端末１に送信し、携帯端末１においてその音楽データに画像データを関連付けてアップロードするようにしてもよい。この場合、携帯端末１において、車載装置３から移動通信網２を介した通信及び近距離通信のうちのいずれかから選択された通信方式により受け取った音楽データに対して、関連付け部１０２によって画像データを関連付け、これら関連付けられたデータをデータアップロード部１０３からアップロードするようにすればよい。
【００９１】
（第４の実施の形態）
本発明の第４の実施の形態に係るデータアップロードシステムは、第２の実施の形態に係るデータアップロードシステムに比べて、携帯端末１と車載装置３との間で、それぞれの近距離通信部１８、３８を用いて、互いが近距離通信可能な近傍エリアに存在するか否かを監視し、近傍エリアに存在する場合には、携帯端末１と車載装置３との間で、移動通信網２に代えて近距離通信により共通の識別情報を送受信する点が異なる。
【００９２】
すなわち、図９との対応部分に同一符号を付して示す図１３は、第４の実施の形態に係るデータアップロードシステムの機能ブロックを示し、携帯端末１の端末監視部１０６は、図２に示した近距離通信部１８及び制御部１１によって構成され、車載装置３の端末監視部２０６は、図３に示した近距離通信部３８及び制御部３１によって構成される。
【００９３】
携帯端末１の端末監視部１０６は、近距離通信部１８を介して近傍探索信号を送信する。車載装置３が近距離通信可能な近傍エリアに存在する場合には、車載装置３の端末監視部２０６（近距離通信部３８）がその近傍探索信号を受信することにより、近傍応答信号を送信する。携帯端末１の端末監視部１０６は、車載装置３からの近傍応答信号を受信することにより、近距離通信が可能な近傍エリアに車載装置３が存在すると判断し、この場合には、携帯端末１の共通ＩＤ算出部１０４において算出された識別情報を、移動通信網２を介さずに、近距離通信により直接車載装置３に送信する。なお、図１３において、携帯端末１の送受信部１０１は、移動通信網２を介した通信を行う通信制御部１２（図２）及び端末装置間で近距離通信を直接行う近距離通信部１８（図２）によって構成され、これらは、制御部１１によって選択される。また、車載装置３の送受信部２０１は、移動通信網２を介した通信を行う通信制御部３２（図３）及び端末装置間で近距離通信を直接行う近距離通信部３８（図３）によって構成され、これらは、制御部３１によって選択される。
【００９４】
図１４は、携帯端末１の共通ＩＤ算出部１０４において識別情報を算出すると共に、端末監視部１０６により近傍エリアを監視し、車載装置３が近傍エリアに存在する場合には、移動通信網２に代えて近距離通信により識別情報を車載装置３に送信する処理手順を示すシーケンス図である。なお、図１４において図１０と同一の処理部分には同一符号を付して、重複した説明は省略する。
【００９５】
図１４において、送信データが選択されると（ステップＳＴ１１）、携帯端末１の共通ＩＤ算出部１０４は、識別情報を算出すると共に、（ステップＳＴ１２）、ステップＳＴ３０１に移って、近傍探索信号を近距離通信部１８（図２）を介して送信する。携帯端末１の近傍エリアに車載装置３が存在する場合には、車載装置３の近距離通信部３８（図３）によって近距離探索信号が受信される。
【００９６】
近距離探索信号が車載装置３において受信されると、車載装置３の端末管監視部２０６は、近傍応答信号を携帯端末１に返信する（ステップＳＴ３０２）。近距離応答信号を受信した携帯端末１の端末監視部１０６は、近距離通信が可能な近傍エリアに車載装置３が存在すると判断し、移動通信網２を介した通信に代えて、近距離通信部１８（図２）を介した近距離通信を選択する（ステップＳＴ３０３）。そして、ステップＳＴ１３に移って、算出された識別情報を近距離通信部１８から送信する。
【００９７】
車載装置３では、携帯端末１から近距離通信により送信された識別情報を近距離通信部３８（図３）で受信し、音楽データの選択（ステップＳＴ１４）、選択された音楽データへの識別情報の付加を行う（ステップＳＴ１５）。また、携帯端末１では、算出された識別情報がアップロード用の画像データに付加されて（ステップＳＴ１６）アップロードされる（ステップＳＴ１７）。車載装置３では、識別情報が付加された音楽データがアップロードされる（ステップＳＴ１８）。
【００９８】
このように本実施の形態のデータアップロードシステムにおいては、近距離通信が可能な場合には、移動通信網２を介した通信に代えて、近距離通信により識別情報が携帯端末１から車載装置３へ送信することにより、例えば、車載装置３を搭載した車がトンネル等、移動通信網２を介した通信が困難な環境にある場合であっても、識別情報を確実に車載装置３へ送信することができる。また、このように携帯端末１がネットワークに接続し得ない環境において、近距離通信により識別情報のみを車載装置３に送信することにより、画像データや音楽データといった容量の大きなデータを近距離により送受信することなく、画像データ及び音楽データへの共通の識別情報の付加（すなわち画像データと音楽データとの関連付け）を行うことができる。
【００９９】
このように本実施の形態のデータアップロードシステムにおいては、近距離通信が可能な場合には、移動通信網２を介した通信に代えて、近距離通信により識別情報を携帯端末１から車載装置３へ送信することにより、例えば、車載装置３を搭載した車がトンネル等、移動通信網２を介した通信が困難な環境にある場合であっても、識別情報を確実に送信することができ、アップロードしようとする画像データと音楽データとの関連付けを確実に行うことができる。また、この場合、近距離通信により授受されるデータは、識別情報であり、容量の大きなデータである画像データや音楽データの授受を行うことなく、画像データと音楽データとの関連付けを行うことができる。
【０１００】
なお、上述の第４の実施の形態においては、携帯端末１の共通ＩＤ算出部１０４において識別情報を算出し、その識別情報を車載装置３に送信し、車載装置３においてその識別情報を音楽データに付加する場合について述べたが、本発明はこれに限られるものではなく、例えば、車載装置３から携帯端末１に対して識別情報の要求信号を送信し、この要求信号を受信した携帯端末１から車載装置３に対して、識別情報を送信するようにしてもよい。この場合であっても、端末監視部１０６、２０６によって近距離通信が可能な近傍エリアに相手方の端末装置が存在するか否かを監視し、近傍エリアに存在する場合には、近距離通信によって車載装置２から携帯端末１に対して識別情報の要求信号を送信し、この要求信号に応答して携帯端末１から車載装置３に識別情報を近距離通信により送信するようにすればよい。
【０１０１】
また、上述の第４の実施の形態においては、携帯端末１の共通ＩＤ算出部１０４において識別情報を算出し、その識別情報を車載装置３に送信し、車載装置３においてその識別情報を音楽データに付加する場合について述べたが、本発明はこれに限られるものではなく、例えば、車載装置３において共通ＩＤ算出部２０４（図９）を設け、この共通ＩＤ算出部２０４によって算出された識別情報を車載装置３の音楽データに付加すると共に、その識別情報を携帯端末１に送信して、携帯端末１の画像データに付加するようにしてもよい。この場合であっても、端末監視部１０６、２０６によって近距離通信が可能な近傍エリアに相手方の端末装置が存在するか否かを監視し、近傍エリアに存在する場合には、車載装置２から携帯端末１に対して近距離通信により識別情報を送信するようにすればよい。
【０１０２】
（他の実施の形態）
上述の第１乃至第４の実施の形態においては、画像データと音楽データとを関連付けて端末装置（携帯端末１及び車載装置３）からアップロードする場合について述べたが、本発明はこれに限られるものではなく、例えば音楽データのインデックス情報のみを画像データにアップロードするようにしてもよい。例えば、車載装置３においてネットワークからダウンロードされて再生されている音楽を、画像データと関連付けてアップロードする場合、その音楽データのインデックス情報のみを画像データと関連付けてアップロードし、サーバ７では、アップロードされたインデックスに基づいて、音楽データサイトから対応する音楽データを取得して、画像データと合成してブログやホームページに掲載する。このように、端末装置からアップロードするデータとして、インデックス情報のみとすることにより、容量の大きなデータ（音楽データ）をアップロードする場合に比べて、アップロードに係る通信データ量を少なく抑えることができる。なお、インデックスを用いてアップロードするデータは、音楽データに限らず、要はインデックス情報に基づいてデータの入手が可能である種々のデータを適用することができる。
【０１０３】
また、上述の第１乃至第４の実施の携帯においては、画像データ及び音楽データを関連付けてアップロードする場合について述べたが、本発明はこれに限れられるものではなく、例えば画像データと画像データとを関連付けて（合成して）動画を構成する等、種々の組み合わせでデータを関連付けることができる。また、上述のように、関連付けるデータは２つ（画像データ及び音楽データ）には限らず、３つ以上の複数のデータを関連付けることもできる。
【０１０４】
本発明は上記実施の形態に限定されず、種々変更して実施することが可能である。本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【０１０５】
【図１】本発明の実施の形態に係るデータアップロードシステムを説明するための概略構成を示す図である。
【図２】図１に示すシステムにおける携帯端末の概略構成を示すブロック図である。
【図３】図１に示すシステムにおける車載装置の概略構成を示すブロック図である。
【図４】図１に示すシステムにおける移動通信センタの概略構成を示すブロック図である。
【図５】図４に示す移動通信センタにおける管理データベースのテーブルを示す図である。
【図６】図１に示すシステムにおけるサーバの概略構成を示すブロック図である。
【図７】本発明の第１の実施の形態に係るデータアップロード方法を説明するためのシーケンス図である。
【図８】本発明の第１の実施の形態に係るデータアップロードシステムの機能ブロックを示すブロック図である。
【図９】本発明の第２の実施の形態に係るデータアップロードシステムの機能ブロックを示すブロック図である。
【図１０】本発明の第２の実施の形態に係るデータアップロード方法を説明するためのシーケンス図である。
【図１１】本発明の第３の実施の形態に係るデータアップロードシステムの機能ブロックを示すブロック図である。
【図１２】本発明の第３の実施の形態に係るデータアップロード方法を説明するためのシーケンス図である。
【図１３】本発明の第４の実施の形態に係るデータアップロードシステムの機能ブロックを示すブロック図である。
【図１４】本発明の第４の実施の形態に係るデータアップロード方法を説明するためのシーケンス図である。
【符号の説明】
【０１０６】
１  携帯端末
２  移動通信網
３  車載装置
５  移動通信センタ
６  ネットワーク
７  サーバ
１１，３１，５１，７１  制御部
１２，３２，５２，７２  通信制御部
１３，３３  表示部
１４，３４  操作部
１５，３５  記憶部
１６  撮像部
１７，３６  認証部
１８，３８  近距離通信部
１９，３９，５６  アプリ制御部
７３  情報更新部
７４  データベース
【図１】
2009020841.tif 000003
【図２】
2009020841.tif 000004
【図３】
2009020841.tif 000005
【図４】
2009020841.tif 000006
【図５】
2009020841.tif 000007
【図６】
2009020841.tif 000008
【図７】
2009020841.tif 000009
【図８】
2009020841.tif 000010
【図９】
2009020841.tif 000011
【図１０】
2009020841.tif 000012
【図１１】
2009020841.tif 000013
【図１２】
2009020841.tif 000014
【図１３】
2009020841.tif 000015
【図１４】
2009020841.tif 000016